(57)【要約】6つの平面6角形曲線の1つとなる最短端を持つ6つの二等辺三角形パネルを提供する中心点に押し出された平面6角形曲線は、必然的に5角形押出を提供するバッキーボール6角形押出を形成する。バッキーボール6角形押出は、グループで2地点から等距離にある角度の12個の5角形の周りで2地点から等距離にある角度で、オープンセル型バッキボール球体の中へ配置する20個の内の1つである。大型オープンセル型バッキボール球体内のクローズドセル型バッキボールは、以下の有用性がある共通の中心点と他の押出角度を共有する：推進力のための浮くウォータ・パドル・ホイール、タイヤ、風力タービン、空気タービン。
2012512103.tif 000002
【特許請求の範囲】
【請求項１】
中心点に向けて押し出され、その最短接線が六角形の６つの平面曲線の１つとなる６つの二等辺三角形を備えた、バッキーボール状の六角形の押出成型を形成する、六角形の平面曲線；を有し、
バッキーボール状の六角形の押出成型は、１つの五角形の周りに等距離の角度で配列して、１つの開いたバッキーボール球体型のセルを形成する、20個の六角形の押出成型のうちの１つである、
移動およびタービン出力のための車輪を供給するバッキーボール球体装置。
【請求項２】
六角形の平面曲線に、クローズドセル型のバッキーボール状の六角形の押出成型を作る表面が備えられる請求項１記載の装置。
【請求項３】
五角形の平面曲線に、クローズドセル型のバッキーボール状の五角形の押出成型を作る表面が備えられる請求項１記載の装置。
【請求項４】
六角形の平面曲線と12個の五角形の平面曲線上に表面を持つような20個のバッキーボール状の六角形の押出成型に、閉じたバッキーボール球体型のセルを作る表面が備えられる請求項２記載の装置。
【請求項５】
より大きな開いたバッキーボール球体型のセル内に閉じたバッキーボール球体型のセルを作り出すように、閉じたバッキーボール球体状の五角形および六角形のセルの表面への半径方向距離よりも、さらに長い中心点からの半径方向距離へと、六角形の平面曲線が押し出される請求項４記載の装置。
【請求項６】
バッキーボール球体の中心点へと押し出された五角形の平面曲線により２つの相対する五角形が作り出されているが、このバッキーボール球体はバッキーボール状の五角形のクローズドセルの押出成型を形成しており、バッキーボール球体の五角形状のオープンセル内に挿入される軸構造駆動要素である請求項１記載の装置。
【請求項７】
駆動装置に適合するように、バッキーボール状の五角形のクローズドセルの押出成型は、その対応する中心点からクローズドセルの長さに切断されている請求項６記載の装置。
【請求項８】
バッキーボール球体を五角形の軸取り付け台の周りで動かしているオープンセルによって流体運動が捉えられている請求項６記載の装置。
【請求項９】
電気的もしくは機械的な駆動装置が、五角形の軸取り付け台の周りの、バッキーボール球体を動かし、浮かんでいるバッキーボールの表面に、相対的な動きを与えているより大きなオープンセル型球体内の、クローズドセル球体を回転させる請求項５記載の装置。
【請求項１０】
中空の固定式のオープンセルのバッキーボール球体が、流体を中心点に導くための固定式の流体捕獲構造として供給される請求項８記載の装置。
【請求項１１】
回転タービンの挿入のために空洞が施されたバッキーボール球体の中心点の周りに、球状のブール微分切断面が存在する請求項１０記載の装置。
【発明の詳細な説明】
【技術分野】
【０００１】
本発明は、一般的に、球体の中心点から六角形および五角形の角の配列を形作るように押し出された１つのバッキーボール状球体（バッキーボール球体）構造からの、推進力および動力生成を対象とする。三角形のパネルには、六角形および五角形のバッキーボール球体の表面にあたる接線を形成する、最短距離のパネルの接線が備わっているが、そこでは、他の２つのより長い接線が中心点へのパネルの長さを形成する。完全なバッキーボール球体を１つ構築するには、１つのパネルが必要とされる。
【背景技術】
【０００２】
推進力およびタービンは、これまで工学的な移動技術において使用されてきたが、簡単に組み立てられ保守できる、簡素で確実なパネル構造に欠いていた。本発明は、１つの三角形パネル構造で１つの完全なバッキーボールを構築し得ることを教示する。これまでの水力を利用した推進力は、以下を提供できなかった。すなわち、水面で浮遊し推進において抗力をゼロにできる推進力と、静止した船の表面を水から移動させる浮遊式の水かきの配置である。だが、本発明から、半径距離モーメントの2倍の直径モーメントがあれば、推進力は風力で駆動され得ることが分かった。本発明は、より大きなオープンセル型バッキーボール内にあるクローズドセル型バッキーボールを結合することで、娯楽としての水上競技から主要な船舶設計に至るまでの個々のニーズ満たしてくれるような、新たな推進力を生み出す技術形式が利用可能となることを教示する。内側のクローズドセルの表面を、外側のオープンセル型バッキーボールのより大きな直径に近づければ、水陸両用の船を浜辺で可動式にすることができる。これは、満ち引きのある海岸線での動力生成に理想的である。
【０００３】
浮力
６つの二等辺三角形型のオープンセル状パネル（もしくは円錐状の材料）に、閉じた蜂の巣状のセルと、他のクローズドセル構造と、注入もしくはスパッタされた泡と、サンドイッチ状の泡のパネル構造を一体化できるだけの厚みをもたせることができ、よって、オープンセル型バッキーボール内のクローズドセル型バッキーボールに浮力の原因を求めることなく、水中の浮力を備えられる。
【０００４】
オープンセル型バッキーボールは、二等辺三角形型のパネルの浮力のみで、水中で浮かぶことができる。本発明から、（空の飲用カップを、それが浮き続けるような構造を周りにかぶせて水の上に逆さまに置くように）オープンセル型バッキーボールが、水と、水面と平行になって近くで回転している内部の密封された表面との間に空気を閉じ込めること、ゆえに、泡とクローズドセルの浮力が、静止しているバッキーボールの浮力となることが分かる。本発明では、１つの閉じられたセル型バッキーボールに属する個々のクローズドセルをヘリウム、水素、または熱ガスで満たすことによる大気浮力が教示され、そこでは材料の総重量は球体にかかる揚力よりも少ない。本発明では、これまでのあらゆる技術からの完全な離脱が説かれるが、そこにおいては、バッキーボール球体の閉じられたセルからできるだけ多くの大気気体分子を抜いて真空化しても耐えられるよう、充分な強度を持つ気密材料がこのバッキーボール球体に使用されている。高度の真空状態は必要ないが、充分な強度を持つ材料により達成される。好適態様によれば、柔軟性のある気密性フィルム材料を、六角形または五角形の表面をもつクローズドセルを形成しているバッキーボール球体の中心点に接合した支柱に備え付けることだが、よって支柱をバラバラにすればバッキーボールを形成しているクローズドセル内の真空の形状物がこじ開けられることになる。この真空作業は、真空化されたバッキーボールを高空大気衛星の中へと解放すれば真空の解放に続く圧縮応力を最小限にできるため、高度を飛ぶ飛行機において安全に行うことができる。従来型の機体を作り出すためには、円筒状のバッフル真空構造を空の状態で膨張して真空化された円筒状のバッフルにし、バッキーボールを円筒の端に付け加えることができる。（追加の空気力学的な成形は、より小さな直径をもつバッフルの輪および成形されたバッキーボールにより行うことができるし、本発明の領域内に含まれている。）こうした真空化された船は、陸を離れて人々を含む有料荷重を運ぶことができる。
【０００５】
本発明の別の実施態様において、本発明は、バッキーボールに駆動軸を追加する方法も示してくれる。いかなる六角形の押出成型にも、バッキーボールの中心点の周りを180度回転させた鏡で映したようなコピーがある。五角形の軸もまた180度反対の五角形に合わせて一列になるが、軸の向こう側のペアに対して軸の回りを36度回転しなければならない。移動性に携わるエンジニアは、もしきわめて頑丈な圧力がかかることが分かっておりボルトのパターンが望ましければ、六角形を軸として選ぶこともできる。
【０００６】
さらに、多くの材料が切断しにくかったり特定の応用に利用しにくかったりするか、現場では入手できなかったりする。高度な荷重ストレスに耐えることができ、オーダーメイドのために莫大な費用がかからないタービンおよび推進部品を所有することは、非常に望ましいだろう。
【０００７】
本発明におけるバッキーボール水かきは、どんなスピードでも浮き、回転させることができ、同じ燃料でもより長い距離にわたり大洋を横切って大規模な船荷を動かす。船体全体をフレームに固定された球体で作り、船荷をフレームの上に置くことができる。これにより、船体および推進力にほぼ全く抗力を与えない。簡素な帆船の帆走材料を応用して折り畳み可能なバッキーボールを作成することができるが、それは開かれて水上輸送に使われるとき、水中で人を引っ張ることができる。１本のロープが、オープンセル型バッキーボール球体内のクローズドセルの回転軸の各側面に固定されている。バッキーボールは、ロープの2つの先端が結ばれている軸受の軸の回りを回転できる。個々の帆走ヨットや小さなボートは、進行方向にある荷重の角度を曲げることで、進行路を定めることができる。もし風カバーがバッキーボールの上半分にかけられていれば、風は晒されている下半分を回転させ、ボールを風の方に動かすだろう。オープンセルの下部が水中で水をかき分け、直径の半分である半径モーメントアームではなく、球体の直径のモーメントアームのほぼ最大の力で、バッキーボール球体を水を横切って転がすように前方へと動かす間、通常、風はバッキーボールの上半分のオープンセルに吹き付ける。
【０００８】
球体の推進力は、水面の上もしくは下にあるオープンセルに吹き付けられるタービン風となり得る。燃焼源エネルギーは、燃料噴射、点火装置、吸気マニホルドを収納している固定構造に球体を密着させている筺体に球体が備え付けられていれば、バッキーボールのオープンセルに直接注入することで供給され得る。この燃焼がパルスタービン推進力となるであろう。より低費用のパルスタービン燃焼過程では、以下の場合に燃焼が起こる。すなわち、バッキーボールのセルの平面のエッジ面の開いた先端を、水とバッキーボールのオープンセルの壁の間で小部屋内の空気を圧縮している小部屋を密封している水の中に向けて直接回転させると、燃料が空気中に注入され（水に入る寸前にオープンセル内にスプレーを注入したり、水燃料経路を水で密封したセルのちょうど下に置いたりしても良い）、中心点のそばにあるスパーク源が燃料と空気の混合物を点火し、燃焼が起こり、膨張中の気体が水をクローズドセルの外に押しだし、その力がバッキーボールを軸の回りで回転させるのである。360度の回転の最中に気体の排出が起こるが、必要であれば送風機を用いればさらに増進することができる。水を横切る船の動きから自然気流が常に利用可能であり、開いたバッキーボールセルに直接入り込み排気ガスにまで達する。水蒸気圧入、触媒による過酸化水素の水と酸素への転換、水の一部を点火させるために水中に放出される水反応物質などはすべて、オープンセルの小部屋内に挿入された、可能な推進力エネルギー源である。本発明は、あらゆるエネルギー源に関して教示する。このパルスタービン力システムは、空中を浮遊するバッキーボールを動かすことができるが、唯一必要とされる駆動力は、水の圧縮というよりも、空気密度の差であろう。回転しつつ点火するために密度の高い側に燃料を注入すれば、空気でバッキーボールを動かすことで、球体の片側に別の側よりも高濃度な空気密度が供給されるだろう。この空気飛行するバッキーボールには、360度の方向に飛べる潜在能力がある。
【０００９】
荷重に呼応して充分早く回転され、上昇を生み出すような角度に及べば、この球体は飛行機の空気推進力となるだろう。全力で回転している船体には抗力となる力がほぼないため、高速の水上速度を達成することができる。オープンセル内にクローズドセルが設置されているバッキーボール球体は、車輪が水上で供給するのと同じような比較的低いエネルギーで砂をかき分けることができるため、これらの船は砂浜でも回転できる。オープンセルは比較的表面に近づくことができるため、砂をかき分けるオープンセル内のクローズドセルの表面に砂が接触することになる。個々のバッキーボールの閉じられたセル、つまり、20個の六角形と12個の五角形は、走行中または安全な複数の収納庫として、駆動力へと変換できる燃料で部分的に満たすことができる。パイプラインとしてよりもむしろ、地面の小道上での回転のためにバッキーボールの表面に鉄道線路の間に差し込むタイヤ挿入部を備え付ければ、バッキーボールを鉄道線路で転がすことができる。水と食力は、まるで山から取ってくるかのように、同様に調達され得る。本発明により、柔軟な耐水性の材料に支えられた支柱をうね状のパネルの代わりに用いれば、折り畳み式で持ち運びできるバッキーボールが可能になることが分かる。
【００１０】
従って、風力、水力による推進力、水力発電、陸上車輪、空気動力の創出に望ましい最も多くの配列を作り出すために利用できるデザインに固有の、浮揚的な特徴を持つ移動性のために設計された推進力技術においては、継続した需要がある。動力もしくは推進力システムにとってもまた、一般的で、設置や修理のために現場に持ち運べる簡素な部品に分解できることは、望ましい。このことは、動力と移動性の分野では、多くの部品材料が非常に切断しづらく互いに接合するのが難しく、多くの使用者が、（例えば、湿っている、寒い、熱い、埃っぽいなど、個々の選択を現場で要するような）仕事環境に即したローカルな材料の変化を求めているため、有用である。
【発明の概要】
【００１１】
バッキーボール球体は、球体の中心点から押し出された20個の等間隔に配置された六角形から成る。六角形の平らな接線は、隣接した六角形および終点が交差する点と平行なので、一組の12個の五角形が、６つの六角形の配列の隙間の中に自然と等間隔に配置される。
【００１２】
バッキーボールの物理的な動きは、制御し予測することができる。というのも、本発明が、ある五角形または六角形状の押し出された開口空洞部の中に駆動軸を挿入することを教示するからであり、そこでは軸アラメントが配列に固有のものだからだ。オープンセル内に球体の部品を取り付けることは、空気注入式のタイヤの先端、雪用の静止摩擦、砂表面での可動性を最大限にする差し込み工具、弾道物質、閉じられたセル内での燃料移送、そして、農具のようだ。本発明により、供給動力として生成される動力、および、推進力として消費される動力を最大限にするためには、電気生成要因または動力要因を含み、バッキーボール球体の外側の球面の接線に駆動要因を動かせばよいことが分かる。
【００１３】
本発明のこれらおよびその他の側面は、下記の詳細な説明および添付された図面を参照することで明らかになるだろう。
動力生成タービンおよび推進のための水かき付き車輪として応用されるバッキーボール球体を説明するため、本発明に準じた代表的な装置を図１に示している。
【図面の簡単な説明】
【００１４】
【図１】バッキーボール球体の中心点に向けて押し出された六角形の平面曲線、バッキーボール球体に対し等距離に並んでいる20個の六角形のうちの１つの透視図を図示している。
【図２】図１の個々の六角形４つが相互に連結しグループになっている状態の透視図を図示しているが、側面図では、４つすべての六角形の平面曲線がバッキーボール球体の中心点に向けて押し出され、中心点の周りに並んで20面の六角形 のバッキーボールとなる準備ができている様子が示されている。
【図３】図２の個々の六角形４つが相互に連結しグループになっている状態の透視図を図示しているが、表面には、同じ中心および比表面を共有する、より大きなバッキーボール球体の半径内にある水密性のバッキーボール球体が示されている。
【図４】互いに36度の角度で接しつつ、バッキーボール球体の５つの個々の六角形に相互に接続している２つの五角形の側面透視図を図示している。
【図５】図２の相互に連結している個々の六角形４つが、５つのグループ配列の１番目の形で球体の中心の周りに配列するように、六角形を垂直から水平の位置まで回転させ、図４の五角形の上に集合させた状態の透視図を図示している。
【図６】図５の相互に連結している個々の六角形４つが、５つのグループ配列の２番目の形で球体の中心の周りに配置されている状態の透視図を図示している。
【図７】図５の相互に連結している個々の六角形４つが、５つのグループ配列の３番目の形で球体の中心の周りに配置されている状態の透視図を図示している。
【図８】図５の相互に連結している個々の六角形４つが、５つのグループ配列の４番目の形で球体の中心の周りに配置されている状態の透視図を図示している。
【図９】図５の相互に連結している個々の六角形４つが、５つのグループ配列の５番目の形で球体の中心の周りに配置されてバッキーボール球体構造を完成させている状態の透視図を図示している。
【図１０】図９の完成したバッキーボールの透視図を図示しているが、ここでは、五角形の平面曲線がバッキーボール球体に対し図4で示された中心点に向けて押し出され、両方の五角形が図の中のバッキーボール球体の半径に相当する等距離で中心点から動かされている状態を示している。
【図１１】図９の完成したバッキーボールの透視図を図示しているが、ここでは、両方の五角形が、図10の半径の外側の終点から、バッキーボール球体内で半径距離の半分内側に等距離に動かされている。
【図１２】図８の回転軸を見るために、図11の完成したバッキーボールを36度回転させた状態の透視図を図示している。図13は、図８の回転軸を正面平面図として見るために、図11の完成したバッキーボールを90度回転させた状態の透視図を図示している。
【図１３】水密性のクローズドセルを示すために、図３で示された、図２の六角形内部のバッキーボール球体の集合が、完成した状態の側面透視図を図示している。
【図１４】図14を、ボルト、軸受、電気モーター、発電機を備え付けた状態で垂直から水平回転軸まで90度回転させた透視図を図示している。
【図１５】回転させた図14の内部の平面図を図示している。
【図１６】図16aは、クローズドセルなしに回転させた図16の内部の平面図を図示しており、よってこれは、軸受軸を終点に備え付けた図９である。
【図１７】バッキーボール球体の20個の円錐のうちの１つ、バッキーボール球体の中心点に対して等距離で配列している20個の円錐のうちの１つを供給している中心点へと押し出された平面円曲線の透視図を図示している。
【図１８】図17の個々の円錐４つが相互に連結しグループになっている状態の透視図を図示しているが、側面図は、４つの平面円曲線のすべてがバッキーボール球体の中心点へと押し出され、中心点の周りに配列して20個の円錐形バッキーボールを形成する準備ができている様子を示している。
【図１９】図18の個々の円錐４つが相互に連結しグループになっている状態の透視図を図示しているが、ここでは、２つのより小さな斜円錐が図４の五角形の位置に幾何学的に対応している。
【図２０】図19の円錐の円の代わりに円環面を用いたハイアングルの透視図を図示しているが、ここでは、図19の幾何学的な円錐の根元の円を明確にするために、４つの大きな円と４つのより小さな円を用いている。
【図２１】、実質上は球体であるバッキーボールの集合の上面透視図を、図19のグループをOリングのグループで置き換えた図９の中の幾何学的な座標点から図示している。
【図２２】実質上は球体であるバッキーボールのオープンセルが六角形状になったグループが、球体を通り越して広がり、ブール微分球体切断面を示している様子の上面透視図を図示している。
【図２３】図22のオープンセルが六角形状のグループになって広がっているパネルが、ブール微分球体切断面状に切り取られている様子の上面透視図を図示している。
【図２４】図23のオープンセルが六角形状のグループになって広がっているパネルがブール微分球体切断面状に切り取られている様子を、216度下方から見た上面透視図を図示している。
【図２５】図24の内側の球体のオープンセルのパネルが六角形状になっているグループが、ブール微分の内部球体切断面で切断されている様子の上面透視図を図示している。
【図２６】図25のオープンセルが六角形状のグループになって広がっているパネルがブール微分球体切断面で切り取られ、回転軸の回りに５周にわたり配置されている様子の透視図を図示している。
【図２７】図26の内側のオープンセルの六角形状のグループ、および、図28で示される図23および24でのブール微分球体切断面で切り取られた外側の六角形状のグループの透視図を図示している。
【図２８】図24のオープンセルパネルの六角形状のグループが、ブール微分の内部球体切断面に切り取られた様子の上面透視図を図示している。
【図２９】図28の六角形状の押し出されたグループが５回配置されて、オープンセル型バッキーボールでできた風を捉えるタービンのなかに入っている様子の上面透視図を図示している。
【図３０】図28のオープンセルの拡張パネルが六角形状になっているグループが、両側から切り取られ、180度で別々に切り取られた２つの球体のブール微分における回転軸に部分的に整列している状態の上面透視図を図示している。
【図３１】図30がタイヤフレームを備え付けている回転軸の回りに５回配置され、伸縮して路面に接触することになる、空気で膨張した構成部分を差し込む準備ができている状態の上面透視図を図示している。
【図３２】オープンセルの六角形状のグループの上面透視図を図示しているが、そこでは、こうした拡張パネルが、地表近くのより広い角度からより多くの空気をとらえるために空気の流路を供給し、図29の固定式のバッキーボールに空気が入る前に動植物よけの網を取り付ける場所を供給している。
【図３３】図32で示されたオープンセルの六角形状のグループが中心点の回りに５回配置されている様子の上面透視図を図示しているが、そこでは、これらの拡張パネルが、地表近くのより広い角度からより多くの空気を捉えるための空気の流路を供給している。
【図３４】キャンバス（もしくは、柔軟性のある折り畳み可能な材料）でできたオープンセルの六角形状のグループと運搬用に折りたたまれた支柱の上面透視図を図示している。
【図３５】キャンバスでできたオープンセルの六角形状のグループと運搬用に折りたたまれた支柱が水上帆走のためにバッキーボール球体内に配置されている様子の上面透視図を図示している。
【図３６】図15および16で示されたより大きなオープンセル型球体内の閉じたバッキーボール球体が、ボートを推進するために長方形内に配置されている様子の上面透視図を図示しているが、そこでは、球体は浮かんで、一列になって船荷フレームの水面ラインの下のレベルで船の表面の代わりになっている。
【図３７】図36の上面透視図を図示している。
【図３８】図15と16で示されたより大きなオープンセル型球体内の閉じたバッキーボール球体が、ボートを推進させるためにすべての四面体のパイプの中点に配置されている状態の上面透視図を図示している。
【図３９】図38でバッキーボール球体が3つしかない状態の上面透視図を図示している。
【図４０】図39ですべての球体の回転軸が平行な位置に回転された状態の上面透視図を図示している。
【図４１】バッキーボールセルの平面エッジ面の開いた先端が、水とバッキーボールのオープンセルの壁の間で小部屋内の空気を圧縮している小部屋を密封している水の中に向けて直接150度回転されることで燃焼サイクルが始まっている様子を示した、図１の側面透視図を図示している。
【図４２】図41が直接水の中に向けて150度回転され、燃料が空気中に注入され、中心点のそばにあるスパーク源が燃料と空気の混合物を点火する様子の側面透視図を図示している。
【図４３】図41が210度回転され、膨張しつつある気体がクローズドセルの外に水を押し出し、その力がバッキーボールを軸の回りに回す様子の側面透視図を図示している。
【図４４】図41が240度回転され、オープンセルが晒されるにしたがい気体排出が起こる様子の側面透視図を図示している。
【図４５】図41が270度回転され、オープンセルがより多くの空気に晒されるにしたがい気体排出が起こる様子の側面透視図を図示している。
【図４６】図41が0度回転され、サイクルが始まる様子の側面透視図を図示している。
【図４７】図41が90度回転され、水を横切る船の動きから自然気流が常に利用可能であり、開いたバッキーボールセルに直接入り込み排気ガスにまで達する様子の側面透視図を図示している。
【図４８】図16の側面透視図を図示しており、ここでは、右側の風により開き、風の方向に動いて閉じる空気フラップがついているが、この図ではフラップは閉じている。
【図４９】図16の側面平面透視図を図示しており、ここでは、右側の風により開き、風の方向に動いて閉じる空気フラップがついているが、フラップは閉じている。
【図５０】図16の側面透視図を図示しており、ここでは、右側の風により開き、風の方向に動いて閉じる空気フラップがついているが、この図ではフラップは開いている。
【図５１】図16のバッキーボールが小さなボートの軸に取り付けられている様子の側面透視図を図示している。
【図５２】図34および35の、バッキーボールの棒がバッキーボール球体の中心点に取り付けられており、５つの極が中心点の回りに配置されている様子の透視図を図示している。
【図５３】図34のバッキーボールの棒がバッキーボール球体の中心点に取り付けられている様子の透視図を図示している。
【図５４】図53のバッキーボールの棒が、真空気密フィルムを棒の回りに巻いた状態で、バッキーボール球体の中心点に取り付けられている様子の透視図を図示している。
【図５５】図54のバッキーボールの棒が、真空気密フィルムを棒の回りに巻いた状態で、バッキーボール球体の中心点に取り付けられている様子の透視図を図示している。
【図５６】図55の透視図を図示しているが、ここでは、真空気密フィルムを棒の回りに巻いた状態で、棒が突出しているバッキーボールのグループがバッキーボール球体の中心に取り付けられ、中心点の回りに５回配置されて、真空化された浮揚性のバッキーボールを作り出している。
【図５７】図56の真空化された浮揚性のバッキーボールが、真空化され拡大された、バッフルとして機能する柔軟性のある円筒の中に挿入されている様子の側面透視図を図示している。
【図５８】図57の真空化されたバッフルの側面透視図を図示している。
【図５９】図57の真空化されたバッフルのハイアングルの回転端面透視図を図示している。
【図６０】空気力学の原理を応用した左右対称の翼（側面）の側面図を図示しているが、ここでは、空気密度を追加することで翼下の上昇力を増すために、接近して風解消材の中に入ってくる風が翼の表面に加えられている。
【図６１】図60の空気力学の原理を応用した翼（側面）の側面図を図示しているが、ここでは、抗力がわずかに増加している一方、機首がわずかに迎角の方向に回転され、上向きの力を与えている。
【図６２】翼を再成形している平均翼弦のおかげで迎角が０度の場合でも上昇力を生み出すキャンバーがついた、空気力学の原理を応用した翼（側面）の側面図を図示している。
【図６３】翼部分を突出させた、空気力学の原理を応用した翼（側面）の側面図を図示している。
【図６４】図16aの、突出したパネルを持つオープンセルの六角形状のグループが、ブール微分円筒切断面で切断された状態の、直径端面の回転平面透視図を図示している。
【図６５】図64を90度回転させた、側面平面透視図を図示している。
【図６６】回転するオープンセルの小部屋を一組の球状に成形するために、円形板が直径の回りに６回配置され、その後、配置された板がすべてそっくりそのまま複写されて90度回転されている様子の透視図を図示している。
【図６７】回転軸に平行な視点から見た、軸の先端に取り付け具がある図66の側面回転透視図を図示している。
【図６８】円形板が直径の回りに６回配置され、その後、中板が３回配置され、両側および回転軸に沿って、回転するオープンセルの小部屋を一組の球状に成形している様子の透視図を図示している。
【図６９】回転軸の先端に軸受取り付け具がある図68の回転透視図を図示している。
【図７０】円形板が直径の回りに６回配置され、その後、１つの板が90度回転され、オープンセルの小部屋なしに、回転する水かきを一組の球状に成形している様子の透視図を図示している。
【図７１】円形板が軸に沿って８回配置され、平らな長方形の板がその軸の回りに６回配置されている様子の透視図を図示しているが、ここでは、パルスタービン力のためにオープンセルを供給する浮遊式の中心部をもつ樽状の水かき付き車輪が備わっている。
【図７２】図16のバッキーボール球体を備えた円筒が、図27のブール球状微分で切断され、軸受筐体と歯車伝動付きの円筒に備え付けられた様子の透視図を図示している。
【図７３】空気注入口を見るために目板を外した図72の透視図を図示している。
【図７４】１つの大きな球体を構成している切頂20面体(アルキメデスの立体) の側面図を図示しているが、ブール結合された２組のより小さな球体を伴っており、その１組目は直径を設定しつつ通常は規則的な12の五角形面がある場所の中央に位置し、２組目のより大きな球体は、通常は切頂20面体内に規則的な20の六角形面がある場所の中央に位置している。
【図７５】球体切断面の周りに円周方向すきまを与えるために、図74の切頂20面体のブール微分が完成され、（より小さな直径の球体に）調整された様子の側面図を図示している。
【図７６】六角形状の各構造に隣接した五角形を支える構造を見るために、六角形状および五角形状の構成部分の一部が除去された図75の側面図を図示している。
【図７７】図76の管組織の中央配列の上に集合した五角形状の構成部分の透視図を図示している。
【図７８】図76の六角形状の構造物の内側の表面の透視図を図示している。
【図７９】図76および78の六角形状の構造物の内側および外側の表面の透視図を図示している。
【図８０】図76および77の五角形状の構造物の内側の表面の透視図を図示している。
【図８１】図76および80の五角形状の構造物の内側および外側の表面の透視図を図示している。
【図８２】図83から88にかけての均一な六角形のペアが中心の五角形を形成している中心点の360度回りに5回配置されている様子の透視図を図示している。
【図８３】２つの均一な六角形が、図83から86にかけてのそれぞれの六角形上の２点に対して74.75度回転されている様子の透視図を図示している。
【図８４】２つの規則的な六角形が、図83から86にかけてのそれぞれの六角形上の２点に対して74.7547度回転されている様子の端面図を図示している。
【図８５】図84が90度回転された側面図を図示している。
【図８６】図85の上面図を図示している。
【図８７】図82の六角形のペアから形作られ、図89の軸受レースハブ発電機のついた、図82で形成された五角形の棒のブールである、バッキーボールの椀の透視図を図示している。
【図８８】図88および 90のタービン翼の透視図を図示している。
【図８９】図87の上面平面図を図示している。
【図９０】図82、 87、 89および91で中心にある五角形を形成するための棒の設置位置を示した内部図つきで、発電機の構成成分を備えた軸受レースハブの分解透視図を図示している。
【発明を実施するための形態】
【００１５】
図１から60において、1a、1b、 1c、1dは、六角形でも円（円錐）でもその他の形でもあり得る、幾何学的な位置であることが理解された。そして、1pは、五角形でも円（円錐）でもその他の形でもあり得る。これらは形ではなく幾何学的な位置であるが、そこにおいては六角形と五角形が好まれる形である。
【００１６】
図１から９は、図９のバッキーボール球体の１xyzである中心点に向かって押し出された六角形の平面曲線を図解している。図１は、バッキーボール球体に対して等距離に配列する20の六角形の1つであるが、バッキーボール球体は内部表面1a
を有する6つの二等辺三角形型のパネル1aaから成る。図２は、図１の相互に連結しグループになっている個々の六角形４つの内部の表面、1a、 1b、 1c、 1dの透視図を図解しており、そこでは六角形の平面曲線４つすべてがバッキーボール球体の中心点1xyzである中心辺に向かって押し出され、中心点の周りを5つの等距離の角度で360度に配列して20個の六角形状のバッキーボールを形成する準備ができている。図３は、図２の４つの六角形の平面曲線に面した、相互に連結しグループになっている個々の六角形４つの面、1'a、1'b、1'c、1'dの透視図を図解しているが、これらの面は、同じ中心と比表面1aa、1bb、1cc、1ddを共有し、より大きな半径の押出距離を持つ、より大きなバッキーボール球体の中に水密性のバッキーボール球体を供給する。
【００１７】
図４は、バッキーボール球体の個々の５つの六角形、1aおよび1dに合わせて相互連結するために、左側の1plと右側の1prの２つの五角形が、それらの共通軸1xyz
の回りを互いに36度回転させられている様子の側面透視図を図解している。 
【００１８】
バッキーボールを作るために与えられた５つの配列グループ
１． 図５は、図２の相互に連結した４つの個々の六角形 1a、1b、 1c、1dが、５つのグループポジションの１番目の形で球体の中心1xyzの周りに配列するように、軸６により垂直から水平位置まで回転させられ、図４の五角形1plと1prの上に集められている状態の透視図を図解している。
２． 図６は、図５の、グループとなり相互に連結した４つの個々の六角形 1a、1b、 1c、1dが、５つのグループポジションの２番目になるように72度の角度で球体の中心1xyzの周りに配置されている様子の透視図を図解している。
３． 図７は、図５の、グループとなり相互に連結した４つの個々の六角形 1a、1b、 1c、1dが、５つのグループポジションの３番目になるように144度の角度で球体の中心1xyzの周りに配置されている様子の透視図を図解している。
４． 図８は、図５の、グループとなり相互に連結した４つの個々の六角形 1a、1b、 1c、1dが、５つのグループポジションの４番目になるように216度の角度で球体の中心1xyzの周りに配置されている様子の透視図を図解している。
５． 図９は、図５の、グループとなり相互に連結した４つの個々の六角形 1a、1b、 1c、1dが、５つのグループポジションの５番目になるように288度の角度で球体の中心1xyzの周りに配置され、バッキーボール球体構造を完成させている様子の透視図を図解している。
【００１９】
図10から13に示されたバッキーボールのタイヤには、1つの五角形の駆動軸が備わっているが、これは、1pl
および1prの五角形の面が両端の５つの六角形の配列1aおよび1dと一致するように、成形されている。
1． 図10は、図９の完成したバッキーボールの透視図を図解しているが、ここでは、五角形の平面曲線がバッキーボール球体に対し図4で示された中心点1xyzに向けて押し出されている。すなわち、180度の位置にある両方の五角形が図の中のバッキーボール球体の半径に相当する等距離で中心点から動かされている状態を示している。
２． 図11では、図９の完成したバッキーボールの透視図を図解しているが、ここでは、両方の五角形が、図10の半径の外側の終点から、バッキーボール球体内で半径距離の半分内側に等距離に動かされている。
３． 図12は、図８の回転軸を見るために、図11の完成したバッキーボールを36度回転させた状態の透視図を図解している。
４． 図13は、図８の回転軸を正面平面図として見るために、図11の完成したバッキーボールを90度回転させた状態の透視図を図解している。
【００２０】
より大きなバッキーボール球体内の閉じたバッキーボール球体：
図14は、水密性のクローズドセルを示すために、図３で示された、図２の六角形内部のバッキーボール球体の集合が、完成した状態の側面透視図を図解している。安全性を追加するために、これらのクローズドセルを、泡でできた中心部、または、多くのレベルの浮揚性の要素を与えるような他の追加的なクローズドセル向けの材料で満たすこともできる。
【００２１】
図15は、図14を、ボルト９、軸受、電気モーター、発電機８を備え付けた状態で垂直から水平回転軸まで90度回転させた透視図を図解している。図16は、図15を回転させた平面回転図を図解している。
【００２２】
円錐ベースのバッキーボール球体においては、20個の円錐が六角形の代わりとなっており、12個の五角形の大きさの円錐が五角形の代わりとなっている。
【００２３】
図17は、バッキーボール球体13の20個の円錐のうちの１つ、1a、つまり、バッキーボール球体13の中心点1xyzに対して等距離で配列している20個の円錐のうちの1つ、1aを供給している中心点1xyzへと押し出された平面円曲線の透視図を図解している。図18は、図17の個々の円錐４つが相互に連結しグループになっている状態の透視図を図解しているが、側面図は、４つの平面円曲線のすべてがバッキーボール球体の中心点へと押し出され、中心点の周りに配列して20個の円錐形バッキーボールを形成する準備ができている様子を示している。図19は、図18の個々の円錐４つが相互に連結しグループになっている状態の透視図を図解しているが、ここでは、２つのより小さな斜円錐が図4の五角形の位置に幾何学的に対応している。図20は、図19を円環面で代用したハイアングルの透視図を図解しており、ここでは、円により図19の幾何学的な円錐の根元の円（円環面の中心の円）が明確にされ、４つの大きな円と４つのより小さな円が用いられている。
【００２４】
図21は、実質上は球体であるバッキーボールの集合の上面透視図を、図19のグループをOリング（円環面）のグループで置き換えた図９の中の幾何学的な座標点から図解している。バッキーボール球体13の中心は、縮小させれば中心点1xyzとすることができるが、これは、図52から57において一致した先端を持つ支柱15を差し込む容器になる。
【００２５】
図22から30は、固定式の外側のバッキーボール球体.内に内側の回転球体を与えるブール微分切断面を図解している。内側の球体は、外側の開いたバッキーボールに内側の球体の固定軸の回りを回転する自由度を与えている、六角形もしくは六角形の固定軸に取り付けることができる。磁気軸受により、内側の球体を外側の球体から吊るすことができ、モーターや発電機の一式を一致する球状切断エッジ面にまとめることができる。内側の球体は、セルのいくつかは閉じ、いくつかは開けるといった選択も含めて移動させることができ、外側の固定式のバッキーボール球体においてオープンセルを変形させれば、クローズドセルの生成動力に携わっているよりも大きな力を回転軸の片側に与えることができる。風力においては、モーメントアームに力を生み出している回転軸の片側の表面の一部を覆うことで回転を強制することは望ましい。本発明から、発生装置の別の半分が回転している間に、発生装置のバッキーボールの回転軸に取り付けられた方の半分が動かないように、回転軸を川岸に対して垂直にして川岸に固定させた状態で本発明のバッキーボールを浮かせれば、表層水発生装置ができるということが分かる。図22は、実質上は球体であるバッキーボールのオープンセルが六角形状になったグループが、球体を通り越して広がり、ブール微分球体切断面を示している様子の上面透視図を図解している。図23は、図22のオープンセルが六角形状のグループになって広がっているパネルが、示された球体によって表現されているように、ブール微分球体切断面状に切り取られている様子の上面透視図を図解している。図24は、図23のオープンセルが六角形状のグループになって広がっているパネルが、図23の球体において、その外側の先端をブール微分によって切り取られ、回転軸の回りを216度下方に回転されている様子の上面透視図を図解している。図25は、図24の内側の球体のオープンセルのパネルが六角形状になっているグループが、ブール微分によって内側の球体切断で切り取られている様子を上面透視図を図解している。図26は、図25のオープンセルが六角形状のグループになって広がっているパネルがブール微分球体切断面で切り取られ、回転軸の回りに５周にわたり配置されている様子の透視図を図解している。図27は、図26の内側のオープンセルの六角形状のグループ、および、図28で示される図23および24でのブール微分球体切断面で切り取られた外側の六角形状のグループの透視図を図解している。図28は、図24のオープンセルパネルの六角形状のグループが、ブール微分の内部球体切断面および図24の内部切断面で切り取られた様子の側面透視図を図解している。図29は、図28の六角形状の押し出されたグループが５回配置されて、オープンセル型バッキーボールでできた風を捉える装置内に入っている様子の上面透視図を図解している。
【００２６】
図30および31は、図28のオープンセルの拡張パネルが六角形状になっているグループが、両側から切り取られ、180度で別々に切り取られた２つの球体のブール微分による回転軸に部分的に整列している状態の上面透視図を図解している。図22の球体を同じ直径で切断しているブール微分は、半径の半分の距離で図29の球体の各先端に置かれ、切断されている。図31は、図30がタイヤフレームを備え付けている回転軸の回りに５回配置され、伸縮して路面もしくは自然地質的な表面に接触することになる、空気で膨張した構成部分を差し込む準備ができている状態の上面透視図を図解している。
【００２７】
図32および33は、より多くの風を集め、虫、鳥、動物、植物の風力タービン内への侵入を除去する独立した場所を供給する、風を捉える固定構造を図解している。本発明は、こうした構造を、いかなる突出した長さにも拡張できることは非常な利点であることを教示する。なぜならば、それらはすべて、風力エネルギーを動力へと処理するために備え付けられた球体に連動しているからだ。炭素黒鉛材料、相変化溶融塩材料、および、動力を高める他の方法論は、こうした個々の突出した拡張部分に応用できる。ソーラーミラーは、こうした固定式の、もしくは、回転している球体に向けることでその性能を高めることができる。地下トンネルや自然地熱エネルギーも、こうしたパネル材料に接続できる。図32は、オープンセルの六角形状のグループの上面透視図を図解しているが、そこでは、こうした拡張パネルが、地表近くのより広い角度からより多くの空気をとらえるために空気の流路を供給し、図29の固定式のバッキーボールに空気が入る前に動植物よけの網を取り付ける場所を供給している。図33は、図32で示されたオープンセルの六角形状のグループが中心点の回りに５回配置されている様子の上面透視図を図解しているが、そこでは、これらの拡張パネルが、地表近くのより広い角度からより多くの空気を捉えるための空気の流路を供給している。最適化された位置にあるタービン翼へと風を向けるために、こうした球の拡張部分を存在している風力の周りに覆いとして置くことができるが、それには、稼働中の現存のタービンシステムに備え付けられた支柱の周りに全力で回転するバッキーボールタービンを備え付けることも含まれ、よって、地表の風が、従来型のホスト風力タービンの支柱に備え付けられたバッキーボールの中で利用されることになる。ホスト風力タービンの先細った形状の支柱の直径（つまり、その一番太い根元の直径）が、バッキーボール球体のブール微分切断面になるだろうが、その切断除去面には軸受が備えられている。
【００２８】
本発明は、風力発電産業においてこの風力オープンセル型バッキーボールタービンがハイブリッドとしてタービンを回転させる風で水が加えられることを教示する。バッキーボール球体の均一性は液体｛空気、水、天然ガス｝を組み合わせる独自のポーティングを提供する。回転力を発生させるために砂や岩をオープンセル型バッキーボールに注ぎ込むことができる。
【００２９】
図38は、ボート推進力または水力に対する4面体パイプ85全ての中心点に配列された大型オープンセル球体11内の図15と図16のクローズドバッキーボール球体11の上面斜視図を示す。図39は、3個のバッキーボール球体のみが軸を120度回転させる図38の上面斜視図を示す。図40は、全ての回転軸が並列位置に回転される図39の上面斜視図を示す。4面体パイプ85は、電気を発生させるのにオープンセル球体11の強制回転に砂や風を注ぎ込むために砂漠の砂丘で回転することが本発明で教えられる。砂の不安定な特質は、この最新4面体が風の中へ起動電位を継続して再配置することを求める。砂漠、海岸砂丘、雪または氷原をわたる、および水上の十分な風により、タービンの中には電気を発生させることになるものもあり、地上の球体11はモーターで駆動され、球体11は風の中、砂丘、水の動きまたは潮の動きへ4面体85の位置を最適化することになる。4面体85は、380度の位置を提供する水や起伏の多い地形上で倒れる可能性がある。位置管理の通信衛星や空中の利点は図38の4面体にも対応する。
図41は、水100シーリングとバッキーボール型オープンセル1aの壁間にあるチャンバー101の水100と圧縮空気に直接向けて150度だけ中心部1xyzの周りで矢印107の方向に時計回りに回転したバッキーボールセルの平面的エッジ面の開口端で始まる燃焼サイクルに関する図1の側面斜視図を示す。図41は、燃料102が空中に注入され150度回転した側面斜視図を示す。図42は180度回転した側面斜視図を示し、そこでは空気が水の中に最大圧密点で直接密閉され中心部1xyz近くからスパーク源103が燃料と空気の混合物104に点火し燃焼を起こす。図43は210度回転した図41の側面斜視図を示し、そこでは拡大した燃焼ガス104がクローズドセルから水を押し出し矢印100の進行方向に軸を押しながら軸の周りのバッキーボールを回転させる。図44は、オープンセルが暴露されるとガス排気105が起きる240度回転した図41の側面斜視図を示す。図45は、オープンセルが更に空気に暴露されるとガス排気が起きる270度回転した図41の側面斜視図を示す。図46は、0度回転した図41の側面斜視図を示し、そこでサイクルが始まる。図47は90度回転した図41の側面斜視図を示し、そこでは残っている排出ガスを除去するために直接オープン・バッキーボールセル1aへ水を渡る船の動きで自然の気流が常にある。水中で回転する全てのオープンセル表面は360度の回転の周りに30パルスもの燃焼エネルギーをもたらす燃焼チャンバーになり得るという認識がある。本発明は、説明を簡略化するために多くの燃焼チャンバーの一つを示すのみであり、より大きなバッキーボールが求められる場合、各6角形または5角形が小さなチャンバーに分けられることが可能である。図51は、風力または燃焼タービンの動力で駆動可能な小さいボート84の船尾に取り付けられたバッキーボール12の図15の側面斜視図を示す。ボート前部へと吹く風は、風に向かって動くために回転する軸下のバッキーボール型オープンセルの中へボート底部に向けることが可能で、バッキーボール12はボート84を同じ速度で安全に前方または後方に動かすことができる。
【００３０】
他のパルスタービンの形：
図64から図71までは設置可能な他の形のパルスタービンである。本発明は、形に無関係であるパルスタービンを教示する。どんな形の燃焼チャンバーも、回転力のためにチャンバー内で反作用の力を発生させるスパーク点火または二元推進剤、三元推進剤、あるいは高次化学結合については、燃料と空気の混合物で水の中に回転することができる。図64から図71までは、軸6の端で丸いプレート42、軸受表面7、スタッド9および軸フランジ8を共有する。図64は、ブーリアン論理差シリンダーカット11aで切断されるオープンセル押出パネルの6角群である図16aの回転した直径の端面図の斜視図を示す。図65は、90度回転した図64の側面斜視図を示す。図66は、直径（軸6）の周りに6回配列された円形プレート40および回転するオープンセル・チャンバー43、43a、43b、43cの球状に形成された一式を提供するためにコピーされて90度回転した一式の配列プレートの斜視図を示す。図67は、回転軸6と平行した概観を提供し、軸6の端で軸受表面7、スタッド9および軸フランジ8などの付属品を提供する図66の回転した側面斜視図を示す。図68は、回転軸6の直径の周りに6回配列された円形プレート40、およびそれから回転するオープンセル・チャンバー44、44a、44b、44cの球状に形成された一式を提供するプレート42の両側と回転軸6に沿って42a、42b、42cと3回配列された中間プレート42の斜視図を示す。図67と67では、球形17オープンセル・チャンバー44、43a、43b、43cは同じ容積ではなく、図68と69では球形18オープンセル・チャンバー44、44a、44b、44cは回転に対して同じ容積である。図69は、回転軸6の端に軸受具を提供する図68の回転斜視図を示す。図70は、オープンセル・チャンバーの無い球状に形成された回転パドル一式を提供するために直径の周りに6回配列された円形プレートおよびそれから90度回転した1つのプレートの斜視図を示す。図71は、軸6に沿って8回配列された円形プレート45およびその軸の周りに6回配列された平たい長方形プレート47（端が示されている）の斜視図を示す；パルスタービン出力のためにオープンセル48を提供するフローティングコア46と共にバレル・パドル動力をもたらす。これらのパドル動力11a、17、18、19のそれぞれは、フローティングコア無しでパルスタービン燃焼チャンバーを提供することになるため、パドルウォータまたはパルスタービン燃焼に対しオープンセルを持つフローティングコアのオプションを教示する。浮力のあるプレートは、本研究で教わった推奨形態であるバッキーボールのように適用できる。プレート42は球体の最大直径であり、軸受、発電機、ブレーキングまたはモーター駆動機能に対しプレートの中にまたはその端の近くに磁気を持つことがある。ギア、駆動ベルトおよびその他の駆動システムがプレート42に取り付けられることができる。
【００３１】
図48は、この図では閉じているが右側が風力で開き風に向かって閉じるヒンジ88によってバッキーボール球体に取り付けられた空気フラップ89と共に図15の側面斜視図を示す。図49は、空気フラップ89が閉じているが、右側が風力で開き風に向かって閉じる空気フラップ89と共に図15の側面平面斜視図を示す。図50は、この図では開いているが、右側が風力で開き風に向かって閉じる空気フラップ89と共に図15の側面斜視図を示す。この空気フラップは全ての6角形に取り付けられて、6角形によって囲まれた5角形に取り付けられるため同様に形作られていると理解される。空気除去スクリーン（ハリケーンの通り道にある家の前に置かれるスクリーン）。
【００３２】
図72は、心棒55の上で軌道53に挿入された軸受54と共にシリンダー50に取り付けられた図27のブーリアン球体論理差によりカットされる図16のバッキーボール球体と共にシリンダー50の斜視図を示す。心棒55は、軸受軌道55から構成され、中のシリンダー50構造的心棒ハウジング58に取り付けられている。ギア56が駆動すると、軸受軌道53を回転させ、56と軸受53がボルト締めされる。プレート51には、タービン燃焼駆動、ディーゼル、ガスエンジン（またはハイブリッド）および燃料電池エネルギーで発電される電気モーターが取り付けられ、図73にあるポート59を通って空気を吹き込むためにプレート（表示されていない）を通るあらゆる排出ガスがある。図73で、固体球52が排出ポート59を伴うシリンダー50に取り付けられている。オープンセル1bおよび1aはボートまたは船を動かすために水中で漕ぐことになる。球体52の内表面にはバッキーボール球体の回転隙間に十分大きな隙間があるが、それはバッキーボール球体と球体52の内側球体表面間の気圧を高くするのに十分な小ささである。球体52は、空気がポート59の中に吹き込まれ水空気軸受が球体を回転させるために生じるとき、バッキーボールを適所に保つための心棒が必要とされない場所でそれを保つために十分な程バッキーボールの周りに広がることができる。このハウジング構造はより大きなシリンダーに取り付けることが可能で移動の方向を管理するために船と直角の中央軸の周りを360度回転できる。
【００３３】
真空バッキーボール型クローズドセルメンブレン枠組み構造の大気浮力：
図52から図59では、全ての先行技術からの完全な脱却がこの新しい手法で教えられており、そこでは図56と57のバッキーボール球体16クローズドセル1a、1b、1c、1dおよび5角形1pからの出来るだけ多くの大気ガス分子の吸い出しに耐えるため十分強いガス気密材料（マイラー型）が図54のこのバッキーボール球体表面1’bbと1’bに適用されている。高真空は求められないが十分強力な強化材料（真空気密密閉のナノ次元管理を可能とするカーボン・ナノチューブとナノ加工品質で管理された素材）で達成可能である。図52は、バッキーボール・ポール15がバッキーボール球体16の中心点1xyzとその中心点の周りの図55にある5つの極性配列群に結合する図34と35の斜視図を示す。図53は、バッキーボールロッド15がバッキーボール球体16の中心点1xyzに結合する図34の斜視図を示す。図54は、バッキーボールロッド15がロッド15の周りに密閉された真空気密フィルム1’bbと1’bでバッキーボール球体16（図56）の中心点1xyzに結合している図53の斜視図を示す。図55は、バッキーボールロッド15がロッド15の周りに密閉された真空気密フィルム1’bbと1’bでバッキーボール球体16の中心点に結合している図54の斜視図を示す。クローズドセルの内側と外側を見ても回転によって表面が分からなくなる。本発明の好適実施態様は、バッキーボール球体16の図21に示されるように小さな錐体の中心点1xyzで接合されるポールに取り付けられるポール（またはカーボン・グラファイト複合材）15の周りで超音波的に、弁証法的に、または接着剤のように密封される弾力性のあるガス気密フィルム物質1’bbと1’bに対するものであり、6角形または5角形表面でクローズドセルを作り、倒れたポールの組立部が球体ポールの端の頂点14をつかむことでポール15を分けることにより力となり、端の頂点14を全ての6角形と5角形の中心から等間隔に動かし、クローズドセル内で真空は大気浮力バッキーボールを形成する。端の頂点14を拡げるこの真空役割は圧縮応力を最小化するために高姿勢航空機で安全に実施することができ、その後に真空バッキーボールを高高度の大気衛星アプリケーションに放出する。バッキーボールが衛星として適用される場合、流星物質耐性物質が端の頂点14に関わり、同様に真空を維持するポール15間で圧力を維持するバー（表示されていない）を挿入する。クローズドセルは飛行の安全を高めるためにバッキーボール内にもっとバッキーボールを作ることで更に分けることができるが、重量が加わる。図57から図59では、アコーディオン式折りたたみ要素21を伴うシリンダー形状バッフル真空構造20は、真空バッフル20の回転上昇側の斜視図である図59で示されるように各対立する側を取出すことで真空シリンダー形状バッフル20へ拡げることができ、それから挿入物（表示されてないが20の構造の内側か外側）で真空位置に保たれる。
【００３４】
この拡大バッフル20は、高度を変更するために真空電位を変える際、長さを増減するのに有用である。図57は、真空の拡大されたバッフル柔軟シリンダー20の中に挿入された真空浮力バッキーボール16である図56の側面斜視図を示す。シリンダーの端に加えられたバッキーボール球体は従来型の形状をした胴体を提供する（追加の空気力学的な形状は小さな直径のバッフルリングと成形バッキーボールによって作ることは可能で本発明の範囲内にある）。これらの真空船は人を含む有料荷重を運ぶため地上から放出できる。図56は、真空浮力バッキーボール16を提供するポール15の周りで密閉された真空気密フィルム1’b と1’bbおよび中心点1 xyzの周りで5回配列され、バッキーボール球体16の中心点1 xyzに付随するバッキーボール・ポール15押出群である図55の斜視図を示す。従来型の大気空気浮力ガス選択も、クローズドセル型バッキーボールの独立したクローズドセルを合計物質重量が球体にかかる揚力よりも少ないヘリウム、水素または高温気体で充満させることによって、本発明において教えられる。翼、テールとその他の従来型航空機推進および空気力学的部品は本設計である図57に加えることができる。
【００３５】
顕微鏡スケールで見るとハリケーン画面は気流に関して非常に荒れているように見える。空気がこれらの表面を流れ過ぎるため、極小の画面の穴を抜け出そうとする分子の中には画面の周りを回転する空気分子のように他から除かれて、それらのエネルギーを高まった空気圧力に変換するものもある。元々近づいてくる空気の流れの速度で動いていたこれらの空気分子は、停止させられ表面のすぐ上でゼロ速度となって、滑りなし条件と呼ばれる。大きなスケールでは、この効果は翼の表面で戦っている摩擦推力として感じられる。
【００３６】
我々はそれを更に分析することができる。最先端で境界層が形成し始めるとき、互いに滑り合う一組のトランプのように他を超えて容易に流れる空気の微小な層のそれぞれと滑らかに流れている。境界層のこの部分は非常に小さなけん引力を生み出すが、残念ながらそれは翼を横切る空気レースが減速し始めるまで続くだけである。非層流翼型では、これはコード長の5−20％内で典型的に生じる。その時点で、境界層が外部空気との混合を始め、小さな渦で満たされ始める。これらのいわゆる乱流境界層は通常かなり安定しているが、層流翼型境界層よりも高い抗力を生む。
【００３７】
我々の目的について図60から図63では、全ての図表と翼（ヨーロッパ統計データ）のレイアウトは矢印30によって左から右への空気移動を想定することになる。亜音速翼の断面翼形状は全部が丸く後部が鋭い。空気が流れ去る翼は揚力と呼ばれる鉛直力33をもたらす。本発明は、翼に揚力をどのように加えるからを教える。揚力とは、翼の上で得るよりも高い空気圧力32を翼の下で得ることの結果である。空気は圧力32と摩擦34によって固体に力を分け与えるだけである。図64は、翼に揚力をもたらす真っ直ぐ押し出された（翼幅）翼である。この押出形状を我々は翼断面と呼んでいる。
【００３８】
図60では、上部表面17と底部表面18と共に翼の外形19が示され、図の中で翼が左側から翼を横断する。翼を加えるとき、本発明はどんな翼設計の揚力の増加も翼のフレーム要素によって適所に保たれている底部翼表面材料18の何かをよくハリケーン風の間に建物の前に使用される風相殺材料18に置き換えることでもたらされることを教える。この風相殺素材18は風の加速を大幅に遅くし、翼の下18で空気圧力を大幅に高めて翼揚力をもたらす（上翼表面17を空気がより早く移動するため、下翼表面18に比して密度を失う）。材料18は、バッフル・アコーディオン式接合部21の表面とバッキーボール表面を部分的に覆うように使用されて、本発明に基づき作られた空中構造を操縦することができる。図60は、近づいてくる風が翼表面に使用された風相殺材料に入り空気密度を高めて翼の下に更なる揚力を生む対称空気力学的翼（外形）の側面図を示す。図61は、けん引力が少し高まる間、上方への力をもたらすため突出部がいくらか小さな迎え角まで回転する図60の空気力学的翼（外形）の側面図を示す。
【００３９】
図62は、平均翼弦線が翼を再形成するためゼロ度迎え角でさえ揚力を生み出すキャンバー付きの空気力学的翼（外形）の側面図を示す。図62で、抗力34、揚力33、近づいてくる風30、迎え角31が示されている。上部表面35と下部表面36の両方に沿った空気圧力は大きく異なる可能性があり、翼断面40が角度を上げると31特に上部35で通常周囲圧力よりもかなり低下する。翼の持ち上げについて、一般的に上の空気は下の空気よりも高く加速する。前にある空気は風の後ろに押し下げられたその全ての空気の空洞を埋めるために動く。ベルヌーイ効果では、空気が加速するとき（速度）、空気圧力は下がる。最終結果は、下の表面と上の表面の圧力差が翼を上方に持ち上げるということである。その考えを結論付けると、揚力は上方に吸い込まれる翼とその下の空気を歪める翼の組み合わさった努力からもたらされる。その効果はあまりにも本質的につながっているため、我々は翼断面・翼の周りの表面圧力を単に測定することで揚力を計算することができる。
【００４０】
図63で、近づいてくる風30にさらされている翼断面40は、通常垂直および少し後方を指す1つの統一力を生む。我々はこれを合力32と呼ぶ。揚力33は、移動の方向と垂直で翼が指している方向ではないその力の部分である。抗力34は移動方向に平行な部分である。説明は図5を参照のこと。
【００４１】
極度の層流翼は、マッハ0.6（約時速450マイル）で上空を飛び最小圧力位置を最先端のかなり後ろに移す際に働く。これは増大した臨界マッハ数をもたらし、ジェット戦闘機が翼への超音速抗力を最小化することで少し早く飛ぶことができる（亜音速機でさえ局所的加速度により翼上部に超音速空気流のポケットを経験することが可能である）。
【００４２】
気密材料：
Lebow Company (http://www.lebowcompany.com/ Lebow Company 5960 Mandarin Ave., Goleta, CA 93117 U.S.A. 電話・ファックス: 805-964-7117)  カーボンまたはParylene-N (登録商標)などのバッキングを使用し、金属の極薄箔または合成物がほんの数原子層からどんな厚さにも作ることができる。メッシュまたはParylene-N (登録商標)のバッキングはフィルム材料を強化するために本発明で必要とされる。Lebow Companyによると、アルミニウム(Al)、酸化アルミニウム（Al2O3）、ベリリウム（Be）、ボロン（B）、カーボン（C）、クロミウム（Cr）、コバルト（Co）、銅（Cu）、ゲルマニウム（Ge）、金（Au）、ハフニウム（Hf）、インジウム（In）、鉄（Fe）、Kapton (登録商標)、鉛（Pb）、フッ化リチウム（LiF）、マグネシウム（Mg）、フッ化マグネシウム（MgF2）、モリブデン（Mo）、Mylar (登録商標) (PET)、ニッケル（Ni）、ニオブ（Nb）、Parylene N (登録商標) (-C8H8-)、パラジウム（Pd）、プラチナ（Pt）、シリコン（Si）、二酸化ケイ素（SiO2）、銀（Ag）、タンタル（Ta）、Teflon (登録商標) (-CF2CF2-)、錫（Sn）、チタニウム（Ti）、二酸化チタン（TiO2）、タングステン（W）、バナジウム（V）、亜鉛（Zn）、ジルコニウム（Zr）の単層箔で厚さ25μ（0.001インチ）までで、ほとんどのフレームサイズと形状向け。加えて、ほとんどの材料は多層極薄箔として組み合わされることが可能で、数種類の材料の線形配列もバルブ軸の周りの厚みのある硬化シール向けに開口部に沿って作り上げられることができ、真空クローズドセルを形成するバッキーボール・バッグに真空が用意される。
【００４３】
Lebow Companyは、2.0-25μ (0.00008-0.001インチ)の厚みからの実装されていない極薄箔を提供する。アルミニウム(Al)、ベリリウム（Be）、カドニウム（Cd）、コバルト（Co）、銅（Cu）、金（Au）、インジウム（In）、鉄（Fe）、Kapton (登録商標)、鉛（Pb）、マグネシウム（Mg）、モリブデン（Mo）、Mylar (登録商標) (PET)、ニッケル（Ni）、ニオブ（Nb）、パラジウム（Pd）、プラチナ（Pt）、銀（Ag）、タンタル（Ta）、Teflon (登録商標) (-CF2CF2-)、錫（Sn）、チタニウム（Ti）、タングステン（W）、バナジウム（V）、亜鉛（Zn）、ジルコニウム（Zr）の実装されていない箔が、100mm x 100mm (4x4インチ)までのあらゆるサイズに切って供給される。
【００４４】
本発明は、真空気密ベリリウム(Be) 厚さ7.5-25μの箔、99.8% Beロール巻き、厚み許容値±10%までのものに焦点を当てている。本発明は、最薄の支援されていない箔（0.02-25μ）技術がバッキーボールまたはその他の大型軽量枠構造の周りのクローズド真空セルを封印する支援された極薄金属箔の生産で層状にされることが可能であることを教える。重さ、機械的またはアルファ粒子の厚さ、および曲げ疲労は、真空気密フィルムが達成された後で考慮される3つの主要要素である。薄膜コーティング加工の金属化システムはミリメートル未満から1mm (0.04インチ)までのコーティングまでの幅がある。Lebowは、金属、酸化物、硫化物、フッ化物、塩化物およびガラスなど世界一範囲が広い薄膜と箔を堆積する電子ビーム加熱源を使用している。Lebowは、ガラス、プラスティック、セラミック、金属、紙やプラスティックロールまたはマイクロワイヤでさえほとんど全てに数オングストロームから数マイクロンに及ぶ厚さのフィルムを堆積することができる。フィルム内面に加工されるマイクロワイヤやワイヤの回路は、マイクロワイヤに電気を通すことで揚力を管理するために真空チャンバー内に供給されるキセノン（Xe）を励起するために本発明で教えられる。キセノンはメンブレン内面の電極間で二極化され、らせん状にされて真空バッグの内壁を加圧する。真空メンブレン内側回路に流された電気エネルギーはキセノンを電気的にひと続きにする。キセノンに流された電気は、内面の電気エネルギーが外側の空気力に対するエネルギー・バランス状態に向けて動くため、浮力揚力を低下させる。キセノンは真空メンブレン回路のギャップ間でキセノンを電気的にひと続きにすることでメンブレン内側の電気効率を高める。真空メンブレン回路は、マイクロワイヤ、カーボン・ナノチューブ、箔材料から形成された大型回路、スパッタ金属極薄膜回路およびスクリーン印刷で可能である。この真空エンブレン構造環境は当業者によって全タイプの浮力形状に適用することができ、本発明の範囲内である。
【００４５】
キセノンが本発明で選択されたが、外側の空気圧力に対して内側のエネルギーを平衡させるために他の元素も使うことができる。（キセノンを回路上でひと続きにする）における電気エネルギーは、本発明の空中真空バッグの制御である浮力を低下させる手法を提供する。バッキーボール航空機は32個の真空バッグ（12個の5角形押出と20個の6角形押出）を持ち、それぞれが別に配線されているためキセノンに電気を加えて回転力または方向力を提供することができる。航空機は空力的最適化のために小さいサイズに変えることが可能で、キセノンの発光は航空機の視覚的安全性を提供することができる。真空バッグ・フィルムはエネルギー源として統合されたソーラー電池と静電気吸収を有している。真空バッグの湿気はキセノンの周りをクラスレートすることになり、真空の可能性のある損失を更に低下させる。キセノンの高密度は少量の電気的可能性に関連して浮力に対する重量の影響を最小化し、移動のx、y、z方向で空中真空バッグの動きを平衡させるために本発明で教えられた回路パターンによってキセノン重量とエネルギーがあちこち移動させられる。真空バッグが変位させる量の圧縮は空気浮力を低下させ、フレームの機械的な動き（例、真空バッグから成形されたバッキーボール球体のポールは、ポールの長さを制御するネジ山で作ることができ、あるいはポールは機械てことして動かすことができる）、可膨張式フレームの機械的な動きから提供されることができ、圧電チューブはフレームを変形させるために硬化できる。
【００４６】
キセノンガスは、無臭、無色、無味、毒性がなく、単原子で、化学的に無害である。大気におけるキセノンガスの濃度は容積割合で8.7 x 10-6である。キセノンガスは、エキシマー・レーザー、電球、窓の断熱材、イオン推進、医学的応用向けに、および研究開発研究所においてガス状の形で船積みされて使用される。高率の両極性を持つ過分極キセノンガスが製造可能である。
【００４７】
キセノンの先行技術は白熱ランプに使用されている。より少ないエネルギーの使用で通常の白熱ランプとして同じ単位の光出力を生むことができるため、フィラメントはそれほど精一杯働く必要がないためフィラメントの寿命が伸びている。その強い光の性質のため、進入滑走路でパイロットを誘導する際の閃光灯として航空分野で使用されている。自動車のヘッドランプにおける最新の技術革新はアーク放電ヘッドランプである。キセノン・フラッシュランプは、レーザー光を「活性化させ」または発光させるためにレーザーで使用されている。過去20年間にわたってレーザー技術における急速な発展は赤外線および可視スペクトルを通してパルス干渉性放射の数多い光源を提供してきたが、高出力の紫外光源はエキシマー・レーザーの発見までほとんど商業化されてなく、多くはそれらを始動させるためにキセノン「フラッシュ」を使用している。キセノンとレーザーはまた紫外線光の発生を通して排水処理における可能性のある用途を探している。現在のシステムは水銀灯に依存している。キセノン・フラッシュランプはレーザービームのエネルギー源として先ず開発されたが、より多くの光子を生み出し水銀灯より5倍以上強いエネルギー水準で光子を送りだす。キセノンは、放射量を減らしてより良いＸ線が得られることを可能にし、酸素と混合されてＣＴ画像でのコントラストを高め、血流を判断するために使用されている。充填ガスの1つとしてキセノンを使用したプラズマディスプレイ（PDP）はいつの日かテレビやコンピュータモニターの大型受像管に置き換わるかもしれない。
【００４８】
HDTVの出現は、フラットパネルのPDPとともに、テレビとコンピュータ表示機産業に大変革をもたらすことを約束している。液体キセノンが亜原子粒子を検知するカロリーメータへの使用で提案されている。世界中の多くの研究者が、この研究に関与している。液体キセノンは粒子検知に通常使用されるガスよりも大体500倍密度が高く、従ってその原子がより密に詰められているため粒子の位置を正確に示し、従来の機器よりも10倍以上の精巧な検出感度と正確性を提供することが約束されている。キセノンは検知過程で実際に消費されるのではなくリサイクルされるため、これらの機器は小さいので必要な最初の充填量とは別に使用料は少ない。キセノンへの需要を知らせる新しい分野の１つは航空宇宙産業である。新しいアイデアではないが、人口衛星の小型ロケットエンジンを位置決めする推進剤としてのキセノンの使用は最近かなりの勢いを得ている。本発明は、キセノンの物理的特性がバッグ・メンブレン内に「オープン」回路を持つ浮力真空バッグの中に入れることを大きな利点とするというアイデアを示す。本発明は、バッキーボール型球体に限定されるものではなく、それらが真空バッグ・メンブレン回路からキセノンを介して３次元の電気的接続までの電気的可能性をひと続きにして、浮力真空バッグ内のエネルギー潜在力を高める。キセノンは、真空バッグ内の潜在的エネルギーを制御するためメンブレンの外側に加えられた地場で中和されることができる。真空バッグ・メンブレンの表面にあるどんな透明要素も周囲に光を放出することになり、キセノンをひと続きにするために与えたエネルギーを持つ空中真空バッグは光を放出するホバリング航空機として現れるであろう。キセノンに与えたエネルギーが止まるとき、浮力航空機は高い高度まで加速するであろう。キセノンから放出される光が広告向けにグラフィック文字を形成するように出来るかもしれない。
【００４９】
発明の別の実施態様では、本発明が多くの赤外線スペクトルを含む光の99％を反射するミラー型の反射器と着色マイラー・ポリマー反射器をPETフィルム（２軸配向）として 産業に加える手法も教えている。製造において、溶融されたPETのフィルムはロールの上に放り上げられて、その後移動の方向に直角に伸ばされる。通常片方は微視的にスムースで、一方反対側は微視的な粗さを含み、それがコーティングと印刷媒体の接着を促進させる。マイラーは金属の薄膜をその上にスパッタリングすることでアルミめっきを施すことができる。結果はガスに対して大きく透過性が低下し、アルミニウム箔のようにアルミめっきを施されたマイラーには光沢のある反射側と光沢のない側がある。マイラーはスズ箔やアルミニウム箔とは異なり簡単には破れない。
【００５０】
ウィキペディア（無料のインターネット百科事典）によると：２軸配向のポリエチレン・テレフタレート（boPET）ポリエステル・フィルムがその高い抗張力、化学安定性、寸法安定性、透明性、気体・香気遮断性および電気絶縁性で使用されている。様々な企業がboPETやその他のポリエステル・フィルムを異なる商標名で製造している。米国と英国では、最も良く知られている商標名はマイラー（デュポンにより製造されたポリエステル・フィルムのあるタイプの商標）とメリネックスである。
プラスチックシートの「金属化」に関する概念と技術：ポリエステルは「熱硬化性」重合体であり、すなわち一度成形されるとその後の加熱では溶けない。十分加熱するとそれらは燃えるだけである。これは、マイラー・フィルムを特殊な選択なしでは熱融着することはできないということである。デュポンは、熱融着可能な様々なコーティング・マイラーを実際に作っている（マイラー上のコーティングが溶けるからである）。それは、熱融着用の特別コーティング（キャプロン・エンブレム）を施した金属化ナイロンアルミめっき2軸ナイロンから作られたマイラーである。
【００５１】
マイラーは人々を有害な光線から守る。マイラーは高い反射特性を持つ。熱および／または光を反射する絶縁材料、および光のフィルター要素として有用である。
【００５２】
マイラー・シートの例としての仕様：
厚み：0.5 mil（ミル）
サイズ: 56" x 84"
反射率: 90%; 0.4から15までのミクロンレンジ 
透過率: 10%; 0.4から15までのミクロンレンジ 
【００５３】
ポリエチレンとナイロンは、「熱可塑性の」ポリマーであり、すなわちその後の加熱で溶け、その後の冷却で再凝固される。これは、「箔バルーン素材」のシートは一緒に熱融着できるということである。金属化ナイロン（または「箔」）はしばしば間違って「マイラー」と呼ばれる。他のカーボン・ナノチューブ・ファイバーは本発明で真空気密メンブレンとして適用するべく開発されている。
【００５４】
本発明は真空バッグ・メンブレンにバッキング素材を使用することを教えている：ナノ構造アルミニウム金属マトリックス複合材、カーボン・ナノチューブ補強材を含む高靭性セラミック、および新規衣料不織内張り素材−Melt Blown Media（メルト・ブロウン・メディア）のナノ繊維。
【００５５】
ナノ構造アルミニウム金属マトリックス複合材
AEGIS TECHNOLOGY（イージス・テクノロジー） 3300 A Westminister Ave. Santa Ana, CA 92703 電話: (800) 691-1668、 Fei Zhou（フェイ・チョウ）博士、表題：弾道装甲用軽重量素材、抜粋：現在および将来の装甲システムに対する軽量化は有事の際に軍が迅速な対応をするに当たり重要であり、超軽量武器の基本骨格は将来の戦場で優位に立つために不可欠となる。一般的に、軽量化が一番の関心事である場合、構造物の材料候補はアルミニウム合金である。しかしながら、市販のアルミニウム合金で最も高い抗張力は550~600 Mpaの範囲であり、たとえ最適化加工熱処理または他の強化手段によっても普通は700 MPaを超えない。ナノ構造材料の技術は比類なく先端装甲システム向けの材料に大変革を起こす態勢にある。我々は、将来の軽量弾道装甲パッケージシステムに使用可能な超高硬度と強度、高衝撃エネルギーを持ち、軽量で新規のナノ構造金属マトリックス複合材（NMMC）を開発し製造することを提案する。ナノ構造アルミニウム金属マトリックス複合材（NMMC）は、前例のない軽量化（例、従来の材料と比べ80％の軽量化）と共に将来の装甲パッケージシステムの設計と製作を改善する軽量構造材料、および現在のシステムの生存性と性能特性を超える費用効果のある装甲車移動システムを設計、最適化、製造する能力の開発を目的としている。 
【００５６】
ナノセラミック装甲
MATERIALS & ELECTROCHEMICAL RESEARCH（マテリアル＆エレクトロケミカル。リサーチ） (MER) CORP. 7960 S. Kolb Rd. Tucson, AZ 85706 電話: (520) 574-1980、Raouf O. Loutfy（ラウーフ・O・ルートフィ）博士、表題: カーボン・ナノチューブ補強材を含む高靭性セラミック、抜粋：現在生産されているセラミック装甲の著しい制限はその脆弱性であり、しばしば早期破壊をもたらす。最近の研究は、カーボン・ナノチューブ補強の追加に関して焦点を当てており、その強靭能力とエネルギー吸収特性が実証されている。MERはナノチューブの有力な生産者であり、ポリマーとセラミック・マトリックスの中に取り込む分散および加工技術を開発している。Rensselaer Polytechnic Institute（レンセラー・ポリテクニック・インスティテュート） (RPI)もポリマーとアルミナ・セラミック・マトリックス向けの同じ技術を完成させている。MERがナノチューブ強化シリコン・カーバイドおよびボロン・カーバイドを調査し、一方RPIが下請契約者としてナノチューブ強化アルミナを調査することが提案されている。MERとRPIの重要な研究は、破壊靭性、強度、硬度および弾道性能を含む広範な試験のために複合材を早く加工できることに役立つものであろう。これはナノチューブ・微細構造特性に関するデータベースの発生と最終複合材特性への満足をもたらすことになる。第Iオプションで、ナノチューブ・の効果を完全に判断するため特性の最高の組み合わせによる複合材がモノリシックな対象物と比較実験でテストされることになる。同等または優勢な弾道性能と機械特性における改善での製作の再生産性の実証はより広範な評価と最終的に商業化のための道を開くであろう。改善された機械特性を伴うセラミック複合材は、防弾チョッキ、エンジン部品、ノズル、キルン家具、およびアルミナ、ボロン・カーバイド、シリコン・カーバイドが現在採用されている本質的に全ての用途を含む様々な用途に対する実現技術となろう。
【００５７】
ハイブリッド・ナノ繊維・ナノ粒子形態を伴うナノ構造メンブレン
STONYBROOK TECHNOLOGY & APPLIED RESEARCH, INC.（ストーニーブルック・テクノロジー＆アプライド・リサーチ） P.O. Box 1336 Stony Brook, NY 11790、電話： (631) 838-7796、Dufei Fang（デュフェイ・ファン）博士、表題：新規衣料不織内張り素材−Melt Blown Media（メルト・ブロウン・メディア）のナノ繊維、抜粋：この中小企業技術革新研究（Small Business Innovation Research）の第Ｉプロジェクトは、ナノ繊維・ナノ粒子形態を用いてメンブレンを製作することができ、商業的な規模拡大工程につなげることができるマルチジェット・エレクトロスピニング工程を伴うメルト・ブロウン工程を組み合わせて革新的な主要技術を開発することを目指す。この第Ｉ提案の明確な目標は、マルチジェット・エレクトロスピニング工程（特許出願中）を従来のメルト・ブロウン工程に取り入れるためにいくつかの新しい設計を行うことである。新規スピナレット・アセンブリー、新しい電極設計およびジェット加速制御を含む複雑で結合した処理パラメーター、輸送、巧みな操作が考慮されることになる。独自のマルチジェット・エレクトロスピニングは、ストーニーブルック・テクノロジー＆アプライド・リサーチ（STAR）からのＰＩおよびニューヨーク州立大学ストーニーブルック校（SUNYSB）化学学部の科学者によって開発された。この技術は、ハイブリッド・ナノ繊維・ナノ粒子形態を伴う新しいナノ構造メンブレン、設計組成変動および三次元パターン形成を生み出すことができる。濡れにくく低吸収の機能を持つ不織保護衣料は多くの状況で使用される可能性がある。このように、それは商業化の高い潜在的可能性を持つことになる。
【００５８】
図74から図81において、球体は6角形と5角形の幾何学的場所に置き換わる形状である。図75では、完全なアセンブリーが軸6の周りに5回配置されている。図77から図81は、チューブ構造の6角球体、5角球体、および6角心棒である。
図74は、12個の正5角形面が通常ある場所で中心に位置する2セットの小さい球体のブーリアン論理和による大きな球体、および20個の正6角形面が切頂20面体で通常ある場所の中心に位置する2番目に大きい球体のセットから成る切頂20面体（アルキメデスの立体）の側面図を示す。図75は、球体カットの周りの円周方向すきまを提供するために調整されたブーリアン論理差（小さな直径の球体）を伴う図74の切頂20面体の側面図を示す。図76は、各6角形構造に隣接している5角形の支持構造を見るために取り除かれた6角形と5角形の要素の部分と共に図75の側面図を示す。図77は、図76のチューブ組織の中心配置をまとめた5角形要素の斜視図を示す。図78は、図76の6角形構造要素の内面の斜視図を示す。図79は、図76と図78の6角形構造要素の内外面の斜視図を示す。図80は、図76と図77の5角形構造要素の内面の斜視図を示す。図81は、図76と図80の5角形構造要素の内外面の斜視図を示す。図82は、図83から図88の中心5角形を形成する中心点の周り360度に5回配置された正6角形ペアの斜視図を示す。図83は、図83から図86までの各6角形の2点に対して74.75度回転した2つの正6角形の斜視図を示す。図84は、図83から図86までの各6角形の2点に対して各6角形の2点に対して74.7547度回転した2つの正6角形の端面図を示す。図85は、90度回転した図84の側面図を示す。図86は、図85の上面図を示す。図87は、図89の軸受レース、発電機ハブ、図82で形成されたブールの5角棒と共に図82の6角形ペアから形成されたバッキーボールのボウルの斜視図を示す。図88は、図88と図90のタービン翼の斜視図を示す。図89は、図87の上面図を示す。図90は、図82、87、89、91の中心に5角形を形成する棒取り付け位置の内側と共に、発電機要素と軸受レース・ハブの分解斜視図を示す。図82から図90では、締め具付きの単極が74.75度の角度で固定され、それから76の中央ハブ・軸受レースによって適所に保たれた中央5角形の周りに配置された2つの正6角形を接続することで5つの風力タービン翼ホルダーに仕上げられる。翼73と74は組立部を回すための空気または水を捉えることができる角度でポールに取り付けられる。組立部79は空気柱で回転する配置や回転軸である。
【００５９】
本発明は、1つの好適実施態様およびいくつかの代替好適実施態様に関連して説明されてきた。これまでの明細書を読んだ後で、開示された概念から逸脱しない範囲で、当業者であれば、様々な他の変更、修正、置き換えまたは同等物に影響を与えることができよう。したがって、付与された特許の範囲は添付の請求項とその同等物に含まれる定義によってのみ限定されることが意図される。
【図１】
2012512103.tif 000003
【図２】
2012512103.tif 000004
【図３】
2012512103.tif 000005
【図４】
2012512103.tif 000006
【図５】
2012512103.tif 000007
【図６】
2012512103.tif 000008
【図７】
2012512103.tif 000009
【図８】
2012512103.tif 000010
【図９】
2012512103.tif 000011
【図１０】
2012512103.tif 000012
【図１１】
2012512103.tif 000013
【図１２】
2012512103.tif 000014
【図１３】
2012512103.tif 000015
【図１４】
2012512103.tif 000016
【図１５】
2012512103.tif 000017
【図１６】
2012512103.tif 000018
【図１６ａ】
2012512103.tif 000019
【図１７】
2012512103.tif 000020
【図１８】
2012512103.tif 000021
【図１９】
2012512103.tif 000022
【図２０】
2012512103.tif 000023
【図２１】
2012512103.tif 000024
【図２２】
2012512103.tif 000025
【図２３】
2012512103.tif 000026
【図２４】
2012512103.tif 000027
【図２５】
2012512103.tif 000028
【図２６】
2012512103.tif 000029
【図２７】
2012512103.tif 000030
【図２８】
2012512103.tif 000031
【図２９】
2012512103.tif 000032
【図３０】
2012512103.tif 000033
【図３１】
2012512103.tif 000034
【図３２】
2012512103.tif 000035
【図３３】
2012512103.tif 000036
【図３４】
2012512103.tif 000037
【図３５】
2012512103.tif 000038
【図３６】
2012512103.tif 000039
【図３７】
2012512103.tif 000040
【図３８】
2012512103.tif 000041
【図３９】
2012512103.tif 000042
【図４０】
2012512103.tif 000043
【図４１−４４】
2012512103.tif 000044
【図４５−４７】
2012512103.tif 000045
【図４８】
2012512103.tif 000046
【図４９】
2012512103.tif 000047
【図５０】
2012512103.tif 000048
【図５１】
2012512103.tif 000049
【図５２】
2012512103.tif 000050
【図５３】
2012512103.tif 000051
【図５４】
2012512103.tif 000052
【図５５】
2012512103.tif 000053
【図５６】
2012512103.tif 000054
【図５７】
2012512103.tif 000055
【図５８】
2012512103.tif 000056
【図５９】
2012512103.tif 000057
【図６０】
2012512103.tif 000058
【図６１】
2012512103.tif 000059
【図６２】
2012512103.tif 000060
【図６３】
2012512103.tif 000061
【図６４】
2012512103.tif 000062
【図６５】
2012512103.tif 000063
【図６６】
2012512103.tif 000064
【図６７】
2012512103.tif 000065
【図６８】
2012512103.tif 000066
【図６９】
2012512103.tif 000067
【図７０】
2012512103.tif 000068
【図７１】
2012512103.tif 000069
【図７２】
2012512103.tif 000070
【図７３】
2012512103.tif 000071
【図７４】
2012512103.tif 000072
【図７５】
2012512103.tif 000073
【図７６】
2012512103.tif 000074
【図７７】
2012512103.tif 000075
【図７８】
2012512103.tif 000076
【図７９】
2012512103.tif 000077
【図８０】
2012512103.tif 000078
【図８１】
2012512103.tif 000079
【図８２】
2012512103.tif 000080
【図８３】
2012512103.tif 000081
【図８４】
2012512103.tif 000082
【図８５】
2012512103.tif 000083
【図８６】
2012512103.tif 000084
【図８７】
2012512103.tif 000085
【図８８】
2012512103.tif 000086
2012512103.tif 000087
【図８９】
2012512103.tif 000088
【図９０】
2012512103.tif 000089
【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
中心点に向けて押し出され、その最短接線が六角形の６つの平面曲線の１つとなる６つの二等辺三角形を備えた、バッキーボール状の六角形の押出成型を形成する、六角形の平面曲線；を有し、
バッキーボール状の六角形の押出成型は、１つの五角形の周りに等距離の角度で配列して、１つの開いたバッキーボール球体型のセルを形成する、20個の六角形の押出成型のうちの１つである、
移動およびタービン出力のための車輪を供給するバッキーボール球体装置。
【請求項２】
六角形の平面曲線に、クローズドセル型のバッキーボール状の六角形の押出成型を作る表面が備えられる請求項１記載の装置。
【請求項３】
五角形の平面曲線に、クローズドセル型のバッキーボール状の五角形の押出成型を作る表面が備えられる請求項１記載の装置。
【請求項４】
六角形の平面曲線と12個の五角形の平面曲線上に表面を持つような20個のバッキーボール状の六角形の押出成型に、閉じたバッキーボール球体型のセルを作る表面が備えられる請求項２記載の装置。
【請求項５】
より大きな開いたバッキーボール球体型のセル内に閉じたバッキーボール球体型のセルを作り出すように、閉じたバッキーボール球体状の五角形および六角形のセルの表面への半径方向距離よりも、さらに長い中心点からの半径方向距離へと、六角形の平面曲線が押し出される請求項４記載の装置。
【請求項６】
バッキーボール球体の中心点へと押し出された五角形の平面曲線により２つの相対する五角形が作り出されているが、このバッキーボール球体はバッキーボール状の五角形のクローズドセルの押出成型を形成しており、バッキーボール球体の五角形状のオープンセル内に挿入される軸構造駆動要素である請求項１記載の装置。
【請求項７】
駆動装置に適合するように、バッキーボール状の五角形のクローズドセルの押出成型は、その対応する中心点からクローズドセルの長さに切断されている請求項６記載の装置。
【請求項８】
バッキーボール球体を五角形の軸取り付け台の周りで動かしているオープンセルによって流体運動が捉えられている請求項６記載の装置。
【請求項９】
電気的もしくは機械的な駆動装置が、五角形の軸取り付け台の周りの、バッキーボール球体を動かし、浮かんでいるバッキーボールの表面に、相対的な動きを与えているより大きなオープンセル型球体内の、クローズドセル球体を回転させる請求項５記載の装置。
【請求項１０】
中空の固定式のオープンセルのバッキーボール球体が、流体を中心点に導くための固定式の流体捕獲構造として供給される請求項８記載の装置。
【請求項１１】
回転タービンの挿入のために空洞が施されたバッキーボール球体の中心点の周りに、球状のブール微分切断面が存在する請求項１０記載の装置。
【請求項１２】
ブール微分の切断球体直径が内部の球体を切断する請求項１０記載の装置。
【請求項１３】
磁気浮上軸受が内部球体を外側の球体から吊るし、一致した球状切断エッジ面にまとめられた一組のモーターもしくは生成装置を供給し、このエッジ面は、外側の固定式のバッキーボール球体内部にある内側の回転球体を与えるブール微分により球体が切断される請求項１０記載の装置。
【請求項１４】
回転軸に沿ってバッキーボールを回転させる川岸に対して回転軸を垂直に設置しつつ、本発明のバッキーボールを浮かせることで、表面水生成装置が備えられる請求項９記載の装置。
【請求項１５】
外側の開いたバッキーボールに内側の球体の固定された軸に沿って回転する自由度を与えている固定された六角形または五角形の軸に、内側の球体を備えることができ、ブール微分球体断面に向けて球体を通り越して拡張している、実質的には球体の、バッキーボール状の六角形のオープンセルのグループである請求項１１記載の装置。
【請求項１６】
セルのいくつかは閉じ、いくつかは開けるといった選択も含めて、内側の球体を移すことができる請求項１４記載の装置。
【請求項１７】
モーメントアームに力を生み出している回転軸の片側の表面の一部を覆うことで回転が強制され、外側の固定式のバッキーボール球体のオープンセルを覆うことで、風力を生成しているクローズドセルに携わっているよりも大きな力を回転軸の片側に与える請求項１記載の装置。
【請求項１８】
ブール微分による切断球体直径が内部球体を切断している請求項１記載の装置。
【請求項１９】
タイヤフレームを備え付けた回転軸が、伸縮して路面もしくは自然地質的な表面に接触することになる空気で膨張した構成部分を差し込めるように構成されてなる請求項１０記載の装置。
【請求項２０】
パネルは炭素黒鉛材料である請求項１０記載の装置。
【請求項２１】
パネルは相変化溶融塩材料を含んでいる請求項１０記載の装置。
【請求項２２】
ソーラーミラーを固定式の又は回転する球体に向けてその性能を高めることができる請求項１０記載の装置。
【請求項２３】
地下トンネルや自然地熱エネルギーをこうしたパネル材料のオープンセルに接続でき、こうした拡張パネルが、地表近くのより広い角度からより多くの空気をとらえるために空気の流路を供給する請求項１０記載の装置。
【請求項２４】
拡張パネルが、地表近くのより広い角度からより多くの空気をとらえるために空気の流路を供給している請求項１０記載の装置。
【請求項２５】
0度で始まり、最大圧縮より180度の角度を示し、水とオープンセルの壁の間の小部屋内の空気を密封・圧縮している水の中に向けて直接回転される先の開いたセル（カップ型）の平面エッジ面の360度回転と；
空気がその最大空気圧縮点において直接水の中でちょうど密封された地点でのオープンセルの180度回転と；
水とオープンセルの間の圧縮された空気の中に注入される燃料と；
燃料と空気の混合物に点火し燃焼させるスパーク源と；
膨張しつつある燃焼気体が水をクローズドセルの外に押し出し、その軸の回りにオープンセルを回転させ、オープンセルの軸の位置に呼応して流体を移動させるオープンセルの210度回転と；
オープンセルが晒されるにしたがい気体排出が起こるオープンセルの240度回転と；
オープンセルがより多くの空気に晒されるにしたがいより多くの気体排出が起こるオープンセルの270度回転と；
サイクルが始まるオープンセルの0度回転と；
水を横切る船の動きから自然気流が常に利用可能であり、開いたバッキーボールセルに直接入り込み残存しているいかなる排気ガスをも除去する、オープンセルの90度回転と； 
を有する、移動性とタービン動力のための燃焼サイクル
【請求項２６】
加圧室となるオープンセルを形成するために中心を向いた六角形および五角形の幾何学的な位置が円錐に置き換えられる請求項２５記載の装置。
【請求項２７】
より小さく効率的な加圧室を形成するために、ブール微分による切断球体直径の半分により、外側の球体の表面を構成している各圧縮セルが切断されている（図74および75）、請求項２５記載の装置。
【請求項２８】
１つの球体が、ブール微分半切断面の中に備え付けられ、各々のオープンセルとなり、多くの半球が拡張している1つの球体を作り出している請求項２７記載の装置。
【請求項２９】
球体は筐体の中に備え付けられており、その筐体は、圧力差に呼応して球体を回転させるための空気を供給する吸気口と排気口を備えている請求項２４記載の装置。
【請求項３０】
スパーク着火のための燃料と空気の混合物、もしくは、二元推進薬、三元推進薬、もしくは、高次化学物質の組み合わせが、反応力を生み出す請求項２９記載の装置。
【請求項３１】
真空気密平面材料と；
真空気密材料と；
真空容器を提供する真空気密材料を備え付けるためのフレームと；
空気をクローズドセルの容器で置き換えるための、実質的な全空気の除去と；
を備える、空気浮遊式飛行船に空気、水、空間、地上での可動性を与えるための、クローズドセルでできた装置。
【請求項３２】
空気浮遊式飛行船に空気、水、空間、地上での可動性を与えるバッキーボール球体装置であって、
その最短接線が、バッキーボール状の六角形の押出成型を形成している六角形の６つの平面曲線の１つとなるような６つの二等辺三角形を作り出している、中心点へと押し出された六角形の平面曲線と；
五角形の周りを等距離の角度で配列して、オープンセル型のバッキーボール球体を形作っている、20個中の１つである１つのバッキーボール状の六角形の押出成型と；
気密材料と；
気密容器を供給している真空気密材料を備え付けるためのフレームと； 
空気をクローズドセルの容器で置き換えるための、実質的な全空気の除去と；
を備える請求項１２記載の装置。
【請求項３３】
飛行船の浮力を変化させるためにキセノンガスが適用される請求項３２記載の装置。
【請求項３４】
（グラフェンでできている）黒鉛はが気密性の構造材料である請求項３２記載の装置。
【請求項３５】
構造材料が、ゲスト分子がフィットし得る結晶格子における分子間に形成された流路内に包接化合物を有する請求項３４記載の装置。
【請求項３６】
構造材料は、ゲスト種が檻の中にあるように「捉えられ」るように全面を囲まれたホスト格子を供給し、ソーラー吸収材料がドープされている、請求項３５記載の装置。
【請求項３７】
圧力と摩擦を介して圧縮力を結合している固体物体に動力を与える空気解消と；装置中を移動する空気の動きと；空気を解消する遮へい物の周りを回転している空気分子により相殺され、空気解消遮へい物のそばの増加した空気圧へと、そのエネルギーを転換させる表面を通り過ぎた空気の流れと；を備える翼（ヨーロッパではProfile）。
【請求項３８】
突出した形状、翼部分の、前述の空気を解消するための遮へい物がある側により高い気圧がある請求項３７記載の装置。
【請求項３９】
突出した形状、胴体部分の、前述の空気を解消するための遮へい物がある側により高い気圧がある請求項３４記載の装置。
【請求項４０】
空気を解消するための遮へい物を動かすことで、抗力がわずかに増加している一方、迎角が上昇力を供給する請求項３８記載の装置。
【請求項４１】
空気を解消するための遮へい物を動かすことで、抗力がわずかに増加している一方、迎角が上昇力を供給する請求項３４記載の装置。
【請求項４２】
機体の形に突出した形状と、
空気を解消する遮へい物のある表面を部分的に覆い、前記遮へい物のある側により高い空気圧をもたらしている圧力と摩擦を通して、圧縮力を結合している固体物体に動力を与える、機体部のバッフルのアコーディオン型結合部と、
装置中を移動する空気の動きと、を備え、
表面を通り過ぎた空気の流れは、空気を解消する遮へい物の周りを回転している空気分子により相殺され、空気解消遮へい物のそばの増加した空気圧へと、そのエネルギーを転換させる、
翼型機体（ヨーロッパではProfile）。
【請求項４３】
請求項１のバッキーボール球体が３２のオープンセルを形成する請求項４２記載の装置。
【請求項４４】
バッキーボール球体の均一性が合成流体（気体、水、天然ガス）を他に依存せずに移動させる請求項４２記載の装置。
【請求項４５】
回転動力を生み出すために、砂と岩をオープンセル型バッキーボールに注ぎ込むことができる請求項４２記載の装置。
【国際調査報告】
2012512103.tif 000090